(57)【要約】【課題】静止状態の演出用火炎を安定して形成することができ、演出効果を一層向上させることができる演出用バーナを提供すること。【解決手段】演出用バーナ１は、空気ドラフト管２と内側燃料ノズル３とを有している。内側燃料ノズル３は、その上面部３１に、燃料ガスＦを噴出させるための上面噴出孔３１１を複数形成してなると共に、その側面部３２に、燃料ガスＦを噴出させるための側面噴出孔３２１を形成してなり、側面部３２の外周において、側面噴出孔３２１の形成位置の下方及び側方を囲むバッフルプレート３４を備えている。演出用バーナ１は、側面噴出孔３２１から噴出させた燃料ガスＦを燃焼させて、保炎用火炎Ｈ３を形成すると共に、上面噴出孔３１１から噴出させた燃料ガスＦを燃焼させて、空気ドラフト管２における上端開口部２０２から、静止状態の演出用火炎Ｈ１を形成する。【選択図】図１
2007003147.tif 000002
【特許請求の範囲】
【請求項１】
下端開口部から上端開口部へと空気を通過させるための空気ドラフト管と、
該空気ドラフト管の内側に配設され、燃料ガスを噴出させるための内側燃料ノズルとを有しており、
該内側燃料ノズルは、その上面部に、上記燃料ガスを噴出させるための上面噴出孔を複数形成してなると共に、その側面部に、上記燃料ガスを噴出させるための側面噴出孔を形成してなり、かつ、上記側面部の外周において上記側面噴出孔の形成位置の下方及び側方を囲むバッフルプレートを備えており、
上記側面噴出孔から噴出させた上記燃料ガスを燃焼させて、保炎用火炎を形成すると共に、上記上面噴出孔から噴出させた上記燃料ガスを燃焼させて、上記空気ドラフト管における上記上端開口部の上方に向けて、静止状態の演出用火炎を形成するよう構成してあることを特徴とする演出用バーナ。
【請求項２】
請求項１において、上記バッフルプレートは、上記側面部の外周において、上記側面噴出孔の形成位置の下方に配設した下部プレートと、上記側面噴出孔の形成位置の側方に配設した側部プレートとによる断面Ｌ形状を有していることを特徴とする演出用バーナ。
【請求項３】
請求項１又は２において、上記側面噴出孔及び上記バッフルプレートは、互いに対向する位置に一対に形成してあることを特徴とする演出用バーナ。
【請求項４】
請求項１〜３のいずれか一項において、上記空気ドラフト管の外側には、燃料ガスを噴出させるための外側燃料ノズルが配設してあり、該外側燃料ノズルは、その上面部に、上記燃料ガスを噴出させるための外側噴出孔を複数形成してなり、
上記上面噴出孔から噴出させた上記燃料ガスを燃焼させると共に、上記外側噴出孔から噴出させた上記燃料ガスを燃焼させて、上記空気ドラフト管における上記上端開口部の上方に向けて、躍動状態の演出用火炎を形成するよう構成してあることを特徴とする演出用バーナ。
【発明の詳細な説明】
【技術分野】
【０００１】
本発明は、燃料ガスを燃焼させて、演出用火炎を形成するよう構成した演出用バーナに関する。
【背景技術】
【０００２】
コンサートホールやテーマパーク等では、演出用火炎を形成するための各種演出用バーナが使用されている。例えば、特許文献１においては、装飾用ガスバーナにおいて、酸素濃度が１％以下のガス燃料を熱分解させて浮遊炭素粒子と水素を発生させる。そして、この浮遊炭素粒子と水素を当該装飾用ガスバーナから噴出させ、その周囲の空気と燃焼させることにより、ローソクのように輝度が高く、かつ装飾性の高い炎を形成している。また、ガス燃料の加熱温度を変更することにより、炎の輝度を調整している。
【０００３】
しかしながら、火炎による演出効果を更に向上させるためには、上記特許文献１の装飾用ガスバーナでは十分ではない。すなわち、ほとんど静止した状態の火炎を形成するためには、更なる工夫が必要とされる。
【０００４】
【特許文献１】特許第２７０８４２１号公報
【発明の開示】
【発明が解決しようとする課題】
【０００５】
本発明は、かかる従来の問題点に鑑みてなされたもので、静止状態の演出用火炎を安定して形成することができ、演出効果を一層向上させることができる演出用バーナを提供しようとするものである。
【課題を解決するための手段】
【０００６】
本発明は、下端開口部から上端開口部へと空気を通過させるための空気ドラフト管と、
該空気ドラフト管の内側に配設され、燃料ガスを噴出させるための内側燃料ノズルとを有しており、
該内側燃料ノズルは、その上面部に、上記燃料ガスを噴出させるための上面噴出孔を複数形成してなると共に、その側面部に、上記燃料ガスを噴出させるための側面噴出孔を形成してなり、かつ、上記側面部の外周において上記側面噴出孔の形成位置の下方及び側方を囲むバッフルプレートを備えており、
上記側面噴出孔から噴出させた上記燃料ガスを燃焼させて、保炎用火炎を形成すると共に、上記上面噴出孔から噴出させた上記燃料ガスを燃焼させて、上記空気ドラフト管における上記上端開口部の上方に向けて、静止状態の演出用火炎を形成するよう構成してあることを特徴とする演出用バーナにある（請求項１）。
【０００７】
本発明の演出用バーナは、上記空気ドラフト管及び内側燃料ノズルを有している。
そして、演出用バーナによって静止状態の演出用火炎を形成する際には、内側燃料ノズルにおける上面噴出孔及び側面噴出孔から燃料ガスを噴出させる。このとき、燃料ガスの上昇流に伴い、空気ドラフト管内の空気が上昇し、空気ドラフト管内には、その下端開口部から空気が流入する。
【０００８】
そして、空気ドラフト管内においては、燃料ガスが、空気によって囲まれた状態で燃焼する。こうして、燃料ガスの燃焼による火炎は、内側燃料ノズルから空気ドラフト管における上端開口部の上方に向けて、ほとんど静止した状態の演出用火炎を形成することができ、この静止状態の演出用火炎により、演出用バーナによる演出効果を一層向上させることができる。
【０００９】
また、上記内側燃料ノズルにおける上面噴出孔から燃料ガスが噴出する際には、内側燃料ノズルにおける側面噴出孔からも燃料ガスが噴出する。このとき、側面噴出孔から噴出された燃料ガスは、上記空気ドラフト管内を上昇する空気と混合されて燃焼して、保炎用火炎を形成する。そして、上記バッフルプレートにより、空気ドラフト管内を上昇する空気が、上記保炎用火炎に直接衝突することを防止することができる。これにより、保炎用火炎を安定して形成することができる。
【００１０】
また、空気ドラフト管内において保炎用火炎を形成することにより、上記演出用火炎を形成する際に、燃料ガスがリフト燃焼を行うことを防止し、演出用火炎が空気ドラフト管における上端開口部から所定距離離れた位置から形成されてしまうことを防止することができる。これにより、演出用バーナにおける燃焼を安定させることができ、静止状態の演出用火炎を安定して形成することができる。
【００１１】
それ故、本発明の演出用バーナによれば、静止状態の演出用火炎を安定して形成することができ、演出効果を一層向上させることができる。
【発明を実施するための最良の形態】
【００１２】
上述した本発明における好ましい実施の形態につき説明する。
本発明において、上記バッフルプレートは、上記側面部の外周において、上記側面噴出孔の形成位置の下方に配設した下部プレートと、上記側面噴出孔の形成位置の側方に配設した側部プレートとによる断面Ｌ形状を有していることが好ましい（請求項２）。
この場合には、バッフルプレートの形成が容易であり、簡単な構造の演出用バーナにより、演出用火炎を安定して形成することができる。
【００１３】
また、上記側面噴出孔及び上記バッフルプレートは、互いに対向する位置に一対に形成することが好ましい（請求項３）。
この場合には、内側燃料ノズルにおいて、互いに対向する位置に保炎用火炎を形成することができ、演出用火炎を一層安定して形成することができる。
【００１４】
また、上記空気ドラフト管の外側には、燃料ガスを噴出させるための外側燃料ノズルが配設してあり、該外側燃料ノズルは、その上面部に、上記燃料ガスを噴出させるための外側噴出孔を複数形成してなり、上記演出用バーナは、上記上面噴出孔から噴出させた上記燃料ガスを燃焼させると共に、上記外側噴出孔から噴出させた上記燃料ガスを燃焼させて、上記空気ドラフト管における上記上端開口部の上方に向けて、躍動状態の演出用火炎を形成するよう構成することが好ましい（請求項４）。
【００１５】
上記演出用バーナにおいて、躍動状態の演出用火炎を形成する際には、内側燃料ノズルから燃料ガスを噴出させると共に、外側燃料ノズルから燃料ガスを噴出させる。このとき、燃料ガスの上昇流に伴い、空気ドラフト管内の空気が上昇し、空気ドラフト管内には、その下端開口部から空気が流入する。
そして、空気ドラフト管内においては、燃料ガスが空気に囲まれた状態で燃焼すると共に、空気ドラフト管外においては、外側燃料ノズルから噴出された燃料ガスが燃焼する。
【００１６】
このとき、内側燃料ノズルから噴出された燃料ガスの燃焼による内側火炎の周囲に、外側燃料ノズルから噴出された燃料ガスの燃焼による外側火炎が形成される。また、上記外側火炎は、上端開口部から流出する空気によって、上記内側火炎と一体化してしまうことが抑制され、上方に向けて移動するように形成される。また、内側火炎及び外側火炎による火炎全体は、断面外形の小さな部分と断面外形の大きな部分とによって形成され、断面外形の大きな部分が繰り返し上方に向けて移動するようにして形成される。
【００１７】
こうして、上記火炎全体により、空気ドラフト管における上端開口部の上方に向けて、躍動する状態の演出用火炎を形成することができる。
また、この躍動状態の演出用火炎を形成する際においても、上記側面噴出孔から噴出された燃料ガスにより、上記バッフルプレートに囲まれた状態で保炎用火炎を形成することができる。そのため、躍動状態の演出用火炎を安定して形成することができる。
【実施例】
【００１８】
以下に、本発明の演出用バーナにかかる実施例につき、図面と共に説明する。
本例の演出用バーナ１は、図１〜図９に示すごとく、コンサートホール又はテーマパーク等において、静止状態の演出用火炎Ｈ１を形成することにより、火炎が持つ視覚的効果を利用して演出を行うものである。
【００１９】
本例の演出用バーナ１は、図１〜図３に示すごとく、下端開口部２０１から上端開口部２０２へと空気Ａを通過させるための空気ドラフト管２と、この空気ドラフト管２の内側に配設され、燃料ガスＦを噴出させるための内側燃料ノズル３と、空気ドラフト管２の外側に配設され、燃料ガスＦを噴出させるための外側燃料ノズル４とを有している。
【００２０】
内側燃料ノズル３は、その上面部３１に、燃料ガスＦを噴出させるための上面噴出孔３１１を複数形成してなると共に、その側面部３２に、燃料ガスＦを噴出させるための側面噴出孔３２１を形成してなる。また、内側燃料ノズル３は、側面部３２の外周において、側面噴出孔３２１の形成位置の下方及び側方を囲むバッフルプレート３４を備えている。
また、外側燃料ノズル４は、その上面部４１に、燃料ガスＦを噴出させるための外側噴出孔４１１を複数形成してなる。
【００２１】
そして、演出用バーナ１は、図１、図７に示すごとく、側面噴出孔３２１から噴出させた燃料ガスＦを燃焼させて、保炎用火炎Ｈ３を形成すると共に、上面噴出孔３１１から噴出させた燃料ガスＦを燃焼させて、空気ドラフト管２における上端開口部２０２の上方に向けて、静止状態の演出用火炎Ｈ１を形成するよう構成されている。また、演出用バーナ１は、図１、図８に示すごとく、上面噴出孔３１１から噴出させた燃料ガスＦを燃焼させると共に、外側噴出孔４１１から噴出させた燃料ガスＦを燃焼させて、空気ドラフト管２における上端開口部２０２の上方に向けて、躍動状態の演出用火炎Ｈ２を形成するよう構成されている。以下に、本例の演出用バーナ１につき詳説する。
【００２２】
図１、図３に示すごとく、本例のバッフルプレート３４は、内側燃料ノズル３における側面部３２の外周において、側面噴出孔３２１の形成位置の下方に配設した下部プレート３４１と、側面噴出孔３２１の形成位置の側方に配設した側部プレート３４２とからなる。そして、バッフルプレート３４は、下部プレート３４１と側部プレート３４２とによる断面Ｌ形状を有している。
また、側面噴出孔３２１及びバッフルプレート３４は、内側燃料ノズル３の側面部３２において、互いに対向する位置に一対に形成されている。
【００２３】
また、図３に示すごとく、本例の内側燃料ノズル３における複数の上面噴出孔３１１は、内側燃料ノズル３の上面部３１において、一方向に向けた上面噴出孔３１１同士の間の第１配列幅Ｗ１が、この一方向に直交する方向に向けた上面噴出孔３１１同士の間の第２配列幅Ｗ２よりも狭くなっている。
そして、上記側面噴出孔３２１及びバッフルプレート３４は、内側燃料ノズル３の側面部３２において、上記第１配列幅Ｗ１を形成する一方向の両側に配設されている。
【００２４】
図５に示すごとく、上記内側燃料ノズル３は、燃料ガスＦを通過させる内側燃料供給管３３の上方先端部に配設されている。この内側燃料供給管３３は、その軸方向を鉛直方向に向けて設置されている。また、上記空気ドラフト管２は、筒形状（本例では円筒形状）を有しており、その軸方向を鉛直方向に向けて配設されている。
また、図１、図４に示すごとく、空気ドラフト管２における下端開口部２０１は、内側燃料供給管３３に固定されている。すなわち、空気ドラフト管２は、その内周面に配設した複数の連結バー２３によって、内側燃料供給管３３の外周に固定されている。そして、空気Ａを通過させるための下端開口部２０１は、複数の連結バー２３同士の間に形成されている。
【００２５】
また、図１に示すごとく、空気ドラフト管２は、内側燃料ノズル３との間に形成した環状の第１空気通路２１と、第１空気通路２１の上方に形成した第２空気通路２２とを備えている。第１空気通路２１は、通路断面積が均一なストレート形状を有しており、第２空気通路２２は、この第２空気通路２２内を通過する空気Ａの流れを、燃料ガスＦの流れの中心側に向けて絞るために、上方に向けて通路断面積が縮小するテーパ形状を有している。このテーパ形状により、上記静止状態の演出用火炎Ｈ１を、上方に向けて外径が縮小する三角錐状に形成することができる（図７参照）。
なお、本例の第１空気通路２１は、ほとんどの部分がストレート形状を有しているが、上端部に位置する一部が上方に向けて通路断面積が縮小するテーパ形状を有している。
【００２６】
また、第２空気通路２２のテーパ角度を変更することにより、三角錐状の静止状態の演出用火炎Ｈ１の長さを変更することができる。
また、空気ドラフト管２における上端開口部２０２は、外側燃料ノズル４の上端面４１よりも上方に突出した位置に配置されている。
【００２７】
なお、図９に示すごとく、上記空気ドラフト管２における第２空気通路２２は、通路断面積が均一なストレート形状に形成することもできる。この場合には、静止状態の演出用火炎Ｈ１を、円柱状に形成することができる。また、同図に破線で示すように、第２空気通路２２は、ほとんどの部分をストレート形状にし、上端部に位置する一部をテーパ形状にすることもできる。
【００２８】
また、図１、図２に示すごとく、外側燃料ノズル４は、空気ドラフト管２における第２空気通路２２の外周を囲む環形状（本例では円環形状）を有している。本例の外側噴出孔４１１は、演出用バーナ１の中心軸線を中心とする仮想円上に配列して形成されている。また、本例の外側噴出孔４１１は、直径が異なる２つの仮想円上に配列して形成されている。
【００２９】
また、複数の外側噴出孔４１１は、燃料ガスＦを斜め外方に向けて噴出させるために、斜め外方に向けて開口形成されている。また、燃料ガスＦは、演出用バーナ１の中心軸線に対して、斜め外方に向けて放射状に噴出される。
また、外側燃料ノズル４には、この外側燃料ノズル４に燃料ガスＦを供給するための外側燃料供給管４３が接続されている。
【００３０】
また、図２に示すごとく、外側燃料ノズル４における複数の外側噴出孔４１１の合計の開口面積は、内側燃料ノズル３における複数の上面噴出孔３１１の合計の開口面積よりも大きくしてある。これにより、内側燃料ノズル３に供給する燃料ガスＦの圧力と、外側燃料ノズル４に供給する燃料ガスＦの圧力とをほぼ同じとした場合でも、外側燃料ノズル４から噴出させる燃料ガスＦの噴出量を、内側燃料ノズル３から噴出させる燃料ガスＦの噴出量よりも多くすることができる。
【００３１】
また、外側燃料ノズル４から噴出させる燃料ガスＦの噴出量は、内側燃料ノズル３から噴出させる燃料ガスＦの噴出量の２〜１０倍とすることができる。本例においては、内側燃料ノズル３から噴出させる燃料ガスＦの噴出量は、約０．０４ｍ3／ｈとし、外側燃料ノズル４から噴出させる燃料ガスＦの噴出量は、約０．２７ｍ3／ｈとしている。
【００３２】
また、図１に示すごとく、内側燃料ノズル３は、その外周にノズル側加熱用ヒータ５１を備えている。このノズル側加熱用ヒータ５１は、内側燃料ノズル３の外周を覆う環形状を有している。
また、空気ドラフト管２は、その外周にドラフト管側加熱用ヒータ５２を備えている。このドラフト管側加熱用ヒータ５２は、空気ドラフト管２における第１空気通路２１の外周を覆う環形状を有している。また、ノズル側加熱用ヒータ５１及びドラフト管側加熱用ヒータ５２は、いずれも通電により発熱するタイプのものである。また、各加熱用ヒータ５１、５２による加熱温度は、１５０〜１８０℃とすることができる。
【００３３】
図５、図６に示すごとく、上記空気ドラフト管２における上端開口部２０２の周辺には、内側燃料ノズル３から噴出された燃料ガスＦ、又は外側燃料ノズル４から噴出された燃料ガスＦの着火を行うための着火装置６１が配設してある。本例では、外側燃料ノズル４から噴出させた燃料ガスＦの着火を行うために、着火装置６１は、外側燃料ノズル４の上方に配設してある。また、本例の着火装置６１は、通電により発熱を行うセラミックヒータであり、燃料ガスＦを自然着火させるよう構成してある。
【００３４】
また、着火装置６１は、着火不良を防止するために、２つ配設してある。また、本例の燃料ガスＦは、天然ガス（都市ガス１３Ａ）である。
なお、着火装置６１は、内側燃料ノズル３から噴出させた燃料ガスＦの着火を行うために、内側燃料ノズル３の上方に配設することもできる。
【００３５】
また、図５、図６に示すごとく、演出用バーナ１は、空気ドラフト管２及び外側燃料ノズル４を覆うカバー７を有している。このカバー７は、空気ドラフト管２の下部を覆う下部カバー部７１と、空気ドラフト管２の上部及び外側燃料ノズル４の外周を覆う上部カバー部７２とを有している。下部カバー部７１及び上部カバー部７２は、それぞれ下側の開口部から上側の開口部に向けて空気Ａを通過させる筒形状を有している。なお、下部カバー部７１及び上部カバー部７２は、パンチングメタル等の多数の孔を有する部材により構成することができる。
また、上部カバー部７２には、火炎の形成状態を監視するための紫外線センサー６２が配設されている。
【００３６】
本例の演出用バーナ１は、安全燃焼制御装置（図示略）によって燃焼制御が行われるよう構成されている。安全燃焼制御装置は、内側燃料ノズル３又は外側燃料ノズル４による燃料ガスＦの噴出タイミング、噴出時間等の制御、及び着火装置６１の通電タイミング及び通電時間の制御等を行うよう構成されている。
【００３７】
図５に示すごとく、上記内側燃料供給管３３には、この内側燃料供給管３３の開閉を行うための第１制御弁３３１が配設されている。また、上記外側燃料供給管４３には、この外側燃料供給管４３の開閉を行うための第２制御弁４３１が配設されている。そして、安全燃焼制御装置が、第１制御弁３３１を開けたときには、内側燃料ノズル３から燃料ガスＦが噴出されて、静止状態の演出用火炎Ｈ１を形成することができる（図７参照）。
【００３８】
一方、安全燃焼制御装置が、第１制御弁３３１及び第２制御弁４３１を開けたときには、内側燃料ノズル３から燃料ガスＦが噴出されると共に、外側燃料ノズル４から燃料ガスＦが噴出されて、躍動状態の演出用火炎Ｈ２を形成することができる（図８参照）。
また、本例の演出用バーナ１における燃焼状態の制御は、安全燃焼制御装置におけるプログラム又はシーケンス回路等によって行われる。
なお、各制御弁３３１、４３１を、流量調整可能なものとしたときには、各燃料ノズル３、４から噴出させる各燃料ガスＦ１、Ｆ２の噴出量を適切に調整することができる。
【００３９】
また、図７、図８に示すごとく、上記構成の演出用バーナ１によれば、躍動状態の演出用火炎Ｈ２の最大断面外形は、静止状態の演出用火炎Ｈ１の最大断面外形の５〜１０倍に形成することができ、躍動状態の演出用火炎Ｈ２の最大長さは、静止状態の演出用火炎Ｈ１の長さの１．５〜２．５倍に形成することができる。本例においては、最大断面外形が約１７ｍｍであり、長さが約２００ｍｍである静止状態の演出用火炎Ｈ１を形成し、最大断面外形が約１３０ｍｍであり、最大長さが約４００ｍｍである躍動状態の演出用火炎Ｈ２を形成する。
【００４０】
次に、上記演出用バーナ１を用いて、２種類の演出用火炎Ｈ１、Ｈ２を形成する動作につき説明する。
本例においては、外側燃料ノズル４から噴出させる燃料ガスＦを着火させるため、躍動状態の演出用火炎Ｈ２を先に形成し、次いで静止状態の演出用火炎Ｈ１を形成する。
また、演出用バーナ１の燃焼運転の開始後に、静止状態の演出用火炎Ｈ１を迅速に静止させるために、燃焼運転の開始前には、上記ノズル側加熱用ヒータ５１及びドラフト管側加熱用ヒータ５２に通電を行って、演出用バーナ１を加熱しておく。
【００４１】
そして、躍動状態の演出用火炎Ｈ２を形成する際には、安全燃焼制御装置は、上記第２制御弁４３１を開け、外側燃料ノズル４における複数の外側噴出孔４１１から燃料ガスＦを斜め上方に向けて噴出させる。そして、噴出された燃料ガスＦを、上記着火装置６１によって着火させる。
【００４２】
また、この着火を行う際には、安全燃焼制御装置は、上記第１制御弁３３１を開け、内側燃料ノズル３における複数の上面噴出孔３１１から燃料ガスＦを上方に向けて噴出させる。このとき、いわゆるドラフト効果により、燃料ガスＦが上昇する流れに伴い、空気ドラフト管２内の空気Ａが上昇する。
すなわち、空気ドラフト管２における第１空気通路２１内における空気Ａは、燃料ガスＦの上昇流に伴って第２空気通路２２内へ上昇し、第１空気通路２１内には、下端開口部２０１から空気Ａが流入する。そして、第２空気通路２２における空気Ａは、燃料ガスＦの上昇速度とほぼ同じ速度で上昇する。
【００４３】
次いで、内側燃料ノズル３における上面噴出孔３１１から噴出され、空気ドラフト管２における上端開口部２０２から流出する燃料ガスＦは、外側燃料ノズル４における外側噴出孔４１１から噴出された燃料ガスＦの燃焼による火炎によって着火されて燃焼する。
このとき、上面噴出孔３１１から噴出された燃料ガスＦの燃焼による内側火炎の周囲に、外側噴出孔４１１から噴出された燃料ガスＦの燃焼による外側火炎が形成される。また、外側火炎は、上端開口部２０２から燃料ガスＦの上昇速度（流出速度）とほぼ同じ速度で上昇する空気Ａによって、内側火炎と一体化してしまうことが抑制される。そして、外側火炎は、上方に向けて移動するように形成される。
【００４４】
また、内側火炎及び外側火炎による火炎全体は、断面外形の小さな部分と断面外形の大きな部分とによって形成され、断面外形の大きな部分が繰り返し上方に向けて移動するようにして形成される。
こうして、図８に示すごとく、上記火炎全体は、空気ドラフト管２における上端開口部２０２の上方に向けて、躍動する状態の演出用火炎Ｈ２を形成することができる。なお、同図において、演出用火炎Ｈ２が躍動する状態を実線と破線によって示す。
そして、この躍動状態の演出用火炎Ｈ２は、これを見る者に対して生き生きとした躍動感のような印象を与えることができる。
【００４５】
次いで、上記静止状態の演出用火炎Ｈ１を形成する際には、安全燃焼制御装置は、上記第１制御弁３３１を開けた状態を維持して内側燃料ノズル３から燃料ガスＦを噴出させる一方、上記第２制御弁４３１を閉じて外側燃料ノズル４からの燃料ガスＦの噴出を停止させる。
このとき、いわゆるドラフト効果により、燃料ガスＦ及び燃焼ガスが上昇する流れに伴い、空気ドラフト管２内の空気Ａが上昇し、空気ドラフト管２における上端開口部２０２から、燃料ガスＦ及び燃焼ガスの上昇速度（流出速度）とほぼ同じ速度で空気Ａが上昇（流出）する。
【００４６】
そして、空気ドラフト管２内においては、内側燃料ノズル３における上面噴出孔３１１から噴出された燃料ガスＦが、空気Ａによって囲まれた状態で燃焼する。
こうして、図７に示すごとく、燃料ガスＦの燃焼による火炎は、内側燃料ノズル３から空気ドラフト管２における上端開口部２０２の上方に向けて、ほとんど静止した状態の演出用火炎Ｈ１を形成することができる。
そして、この静止状態の演出用火炎Ｈ１は、これを見る者に対して安らかな静寂感のような印象を与えることができる。
【００４７】
また、上記躍動状態の演出用火炎Ｈ２及び静止状態の演出用火炎Ｈ１のいずれを形成する際においても、内側燃料ノズル３における上面噴出孔３１１から燃料ガスＦが噴出するときには、内側燃料ノズル３における側面噴出孔３２１からも燃料ガスＦが噴出する。このとき、側面噴出孔３２１から噴出された燃料ガスＦは、空気ドラフト管２内を上昇する空気Ａと混合されて燃焼して、保炎用火炎Ｈ３を形成する。そして、内側燃料ノズル３の外周に配設したバッフルプレート３４により、空気ドラフト管２内を上昇する空気Ａが、上記保炎用火炎Ｈ３に直接衝突することを防止することができる。これにより、保炎用火炎Ｈ３を安定して形成することができる。
【００４８】
また、空気ドラフト管２内において保炎用火炎Ｈ３を形成することにより、各演出用火炎Ｈ１、Ｈ２を形成する際に、燃料ガスＦがリフト燃焼を行うことを防止し、各演出用火炎Ｈ１、Ｈ２が空気ドラフト管２における上端開口部２０２から所定距離離れた位置から形成されてしまうことを防止することができる。これにより、演出用バーナ１における燃焼を安定させることができ、各演出用火炎Ｈ１、Ｈ２を安定して形成することができる。
【００４９】
その後は、安全燃焼制御装置は、適宜タイミングで燃料ガスＦを燃焼させ、躍動状態の演出用火炎Ｈ２と静止状態の演出用火炎Ｈ１とを繰り返し形成することができる。
また、内側燃料ノズル３から噴出させる燃料ガスＦを着火させるよう構成した場合には、静止状態の演出用火炎Ｈ１を先に形成し、次いで、躍動状態の演出用火炎Ｈ２を形成することができる。
【００５０】
このように、上記演出用バーナ１は、静止状態の演出用火炎Ｈ１を形成することにより、静寂感を表現することができ、躍動状態の演出用火炎Ｈ２を形成することにより、躍動感を表現することができる。
それ故、本例の演出用バーナ１によれば、静止状態の演出用火炎Ｈ１及び躍動状態の演出用火炎Ｈ２を安定して形成することができ、各演出用火炎による演出効果を一層際立たせることができる。
【図面の簡単な説明】
【００５１】
【図１】実施例における、演出用バーナを示す断面説明図。
【図２】実施例における、図１におけるＸ矢視方向から見た状態で演出用バーナを示す平面図。
【図３】実施例における、図１におけるＹ−Ｙ矢視線方向から見た状態で演出用バーナを示す断面説明図。
【図４】実施例における、図１におけるＺ−Ｚ矢視線方向から見た状態で演出用バーナを示す断面説明図。
【図５】実施例における、演出用バーナにカバー等を取り付けた状態を示す断面説明図。
【図６】実施例における、演出用バーナにカバー等を取り付けた状態を示す平面図。
【図７】実施例における、静止状態の演出用火炎を形成した状態の演出用バーナを示す断面説明図。
【図８】実施例における、躍動状態の演出用火炎を形成した状態の演出用バーナを示す断面説明図。
【図９】実施例における、他の演出用バーナを示す断面説明図。
【符号の説明】
【００５２】
１  演出用バーナ
２  空気ドラフト管
２０１  下端開口部
２０２  上端開口部
３  内側燃料ノズル
３１  上面部
３１１  上面噴出孔
３２  側面部
３２１  側面噴出孔
３４  バッフルプレート
４  外側燃料ノズル
４１１  外側噴出孔
Ｈ１  静止状態の演出用火炎
Ｈ２  躍動状態の演出用火炎
Ｈ３  保炎用火炎
Ｆ  燃料ガス
Ａ  空気
【図１】
2007003147.tif 000003
【図２】
2007003147.tif 000004
【図３】
2007003147.tif 000005
【図４】
2007003147.tif 000006
【図５】
2007003147.tif 000007
【図６】
2007003147.tif 000008
【図７】
2007003147.tif 000009
【図８】
2007003147.tif 000010
【図９】
2007003147.tif 000011